(57)【要約】【課題】コネクタ同士の嵌合状態を確実にロックすることができるコネクタを提供する。【解決手段】【請求項１】インシュレータ５の一部を覆うフード７とインシュレータ５との間に、レセプタクルコネクタ２１との嵌合が開始する第１の位置と嵌合が完了する第２の位置との間で相対移動可能にシェル９を配置し、シェル９を第１の位置の方へ押圧するばね１１を備える。シェル９に、インシュレータ５の一部を覆うシェル本体５１と、フード７が有する第１の係合突起７１２と係合してシェル本体９１を第１の位置に止めるとともに、フード７が有する第２の係合突起７１３と係合してシェル本体９１を第２の位置に止める係合ばね片９２と、シェル本体９１が第２の位置にあるときインシュレータ５に接触するとともにレセプタクルコネクタ２１のロック用ダボ２９ｂと係合し、シェル本体９１が第１の位置にあるときロック用ダボ２９ｂとの係合が解かれるロックばね片９３とを設ける。【選択図】図２
2009004228.tif 000002
【特許請求の範囲】
【請求項１】
コンタクトを保持するインシュレータと、
このインシュレータの一部を覆うフードと、
このフードと前記インシュレータとの間に、相手側コネクタとの嵌合が開始する第１の位置と嵌合が完了する第２の位置との間で相対移動可能に配置されたシェルと、
このシェルを前記第１の位置の方へ押圧する押圧部材とを備え、
前記シェルは、
前記インシュレータの一部を覆うシェル本体と、
前記フードが有する第１のフード側係合部と係合して前記シェル本体を前記第１の位置に止めるとともに、前記フードが有する第２のフード側係合部と係合して前記シェル本体を前記第２の位置に止めるシェル側係合部と、
前記シェル本体が前記第２の位置にあるとき前記相手側コネクタの相手側係合ロック部と係合し、前記シェル本体が前記第１の位置にあるとき前記相手側係合ロック部との係合が解かれ、少なくとも前記第２の位置にあるとき前記インシュレータに接触する係合ロック部と
を有していることを特徴とするコネクタ。
【請求項２】
前記フードは、前記第２のフード側係合部と前記シェル側係合部との係合を解除する解除部を有することを特徴とする請求項１記載のコネクタ。
【請求項３】
前記シェルが金属製であることを特徴とする請求項１又は２記載のコネクタ。
【請求項４】
前記係合ロック部が、前記相手側係合ロック部と係合する孔を有する舌片状のばね片であることを特徴とする請求項１〜３のいずれか１項記載のコネクタ。
【請求項５】
請求項１〜４のいずれか１項記載のコネクタに接続可能な相手側コネクタであって、
前記シェルを受け容れる相手側シェル本体と、
前記相手側シェル本体に形成され、前記シェルが前記相手側シェル本体に所定量挿入されたときに前記シェルに突き当たる突当て突起と
を備えていることを特徴とする相手側コネクタ。
【発明の詳細な説明】
【技術分野】
【０００１】
この発明はコネクタに関し、特にコネクタ同士の嵌合状態を確実に保持することができるコネクタに関する。
【背景技術】
【０００２】
従来、コネクタ本体と１対のロック片とシェルとフードとからなるコネクタが知られている（下記特許文献１参照）。
【０００３】
コネクタ本体はコンタクト収容部とケーブル収容部とを有する。
【０００４】
１対のロック片はケーブル収容部の両側面に取り付けられている。ロック片は先端部とばね部とを有する。ロック片の先端部には外側へ向かって突出したロック爪が形成されている。ばね部はロック片の先端部がコンタクト配列方向に沿って移動可能なようにロック片の先端部を支持する。ばね部には外側へ向かって突出した突起部が形成されている。
【０００５】
シェルは第１のシェル部と第２のシェル部とを有する。第１のシェル部はコネクタ本体のコンタクト収容部とロック片の先端部とを覆う。第１のシェル部の両側面には窓部が形成され、この窓部を通じてロック片のロック爪が突出している。第２のシェル部はコネクタ本体のケーブル収容部を覆い、第１のシェル部に結合されている。第２のシェル部の両側面には窓部が形成され、この窓部にロック片の突起部が挿入されている。
【０００６】
フードは第１のフード部と第２のフード部とで構成されている。フードは１対のロック操作部を有する。ロック操作部はそれぞれコネクタ本体の側面と対向する。ロック操作部の先端部にはロック片の突起部を押圧するためのフード解除動作部を有する。ロック操作部の先端部はコンタクト配列方向に沿って移動可能である。
【０００７】
このコネクタに接続される相手側コネクタはインシュレータとその周囲を覆う外郭シェルとを備えている。外郭シェルの両側にはコネクタのロック爪と係合するロック孔が形成されている。
【０００８】
相手側コネクタにコネクタを嵌合するとき、コネクタの挿入にしたがってロック爪は相手側コネクタの外郭シェルの内壁に押されて内側へ引っ込む。ロック爪が外郭シェルのロック孔の位置に至ったとき、ロック爪がばね部のばね力によってロック孔に入り込み、ロック状態となる。
【０００９】
ロックを解除するには、フードのロック操作部を内側へ押し込めばよい。ロック操作部が内側に押し込まれると、フード解除動作部がロック片の突起部を押圧する。その結果、ロック片のロック爪が相手側コネクタのロック孔から抜け出し、ロックが解除され、コネクタを相手側コネクタから引き抜くことができる。
【特許文献１】特開２００４−１４３８４号公報（段落００１７〜００３４、図１〜８参照）
【発明の開示】
【発明が解決しようとする課題】
【００１０】
上述のコネクタでは、ロック状態はロック片のばね部のばね力だけで保持されている。このため、例えばコネクタを相手側コネクタから引き抜こうとする力が生じたとき、ロック状態が容易に解除される虞があった。
【００１１】
この発明はこのような事情に鑑みてなされたもので、その課題はコネクタ同士の嵌合状態を確実に保持することができるコネクタを提供することである。
【課題を解決するための手段】
【００１２】
前述の課題を解決するため請求項１の発明のコネクタは、コンタクトを保持するインシュレータと、このインシュレータの一部を覆うフードと、このフードと前記インシュレータとの間に、相手側コネクタとの嵌合が開始する第１の位置と嵌合が完了する第２の位置との間で相対移動可能に配置されたシェルと、このシェルを前記第１の位置の方へ押圧する押圧部材とを備え、前記シェルは、前記インシュレータの一部を覆うシェル本体と、前記フードが有する第１のフード側係合部と係合して前記シェル本体を前記第１の位置に止めるとともに、前記フードが有する第２のフード側係合部と係合して前記シェル本体を前記第２の位置に止めるシェル側係合部と、前記シェル本体が前記第２の位置にあるとき前記相手側コネクタの相手側係合ロック部と係合し、前記シェル本体が前記第１の位置にあるとき前記相手側係合ロック部との係合が解かれ、少なくとも前記第２の位置にあるとき前記インシュレータに接触する係合ロック部とを有していることを特徴とする。
【００１３】
上述のように、シェル本体が第２の位置にあるとき係合ロック部が相手側コネクタの相手側係合ロック部と係合するとともに、インシュレータに接触するので、何らかの原因によりコネクタを相手側コネクタから引き抜こうとする力が生じたとしても、係合ロック部は動かず、相手側係合ロック部との係合は解かれない。その結果、相手側コネクタとの嵌合状態が保持される。
【００１４】
請求項２の発明は、請求項１記載のコネクタにおいて、前記フードは、前記第２のフード側係合部と前記シェル側係合部との係合を解除する解除部を有することを特徴とする。
【００１５】
請求項３の発明は、請求項１又は２記載のコネクタにおいて、前記シェルが金属製であることを特徴とする。
【００１６】
請求項４の発明は、請求項１〜３のいずれか１項記載のコネクタにおいて、前記係合ロック部が、前記相手側係合ロック部と係合する孔を有する舌片状のばね片であることを特徴とする。
【００１７】
請求項５の発明の相手側コネクタは、請求項１〜４のいずれか１項記載のコネクタに接続可能な相手側コネクタであって、前記シェルを受け容れる相手側シェル本体と、前記相手側シェル本体に形成され、前記シェルが前記相手側シェル本体に所定量挿入されたときに前記シェルに突き当たる突当て突起とを備えていることを特徴とする。
【発明の効果】
【００１８】
この発明によれば、コネクタ同士の嵌合状態を確実に保持することができる。
【発明を実施するための最良の形態】
【００１９】
以下、この発明の実施の形態を図面に基づいて説明する。
【００２０】
図１はこの発明の一実施形態に係るプラグコネクタの斜視図、図２は図１に示すプラグコネクタのフードを外した状態を示す斜視図、図３は図１に示すコネクタのシェルが第１の位置にあるときの状態を示す斜視図、図４は図１に示すコネクタのシェルが第２の位置にあるときの状態を示す斜視図、図５は図１に示すフードの前部の断面図、図６は図１に示すフードの断面図、図７は図１の示すプラグコネクタに接続されるレセプタクルコネクタの斜視図である。図３、４中、フード７の上半分が切除されている。
【００２１】
図１、２に示すように、プラグコネクタ（コネクタ）１はコンタクト（図８、９参照）とインシュレータ５とフード７とシェル９とばね（押圧部材）１１とを備える。
【００２２】
図２〜４に示すように、インシュレータ５はインシュレータ本体５１と一対のフード係合部５２と鍔部５３と電線受部５４とを有する。インシュレータ５は合成樹脂で形成されている。
【００２３】
インシュレータ本体５１はほぼ板状であり、コンタクト収容孔５１ａと摺動面５１ｂとを有する。コンタクト収容孔５１ａはプラグコネクタ１の前後方向Ｄに沿って延びている。コンタクト収容孔５１ａにはコンタクト３が収容されている（図８、９参照）。摺動面５１ｂはインシュレータ本体５１の前側（反電線側）部分の上下面にそれぞれ形成されている。摺動面５１ｂは低位面５１ｃと高位面５１ｄと傾斜面５１ｅとを有する。低位面５１ｃは前後方向Ｄと平行であり、高位面５１ｄよりもコンタクト３に近い位置にある。高位面５１ｄは前後方向Ｄと平行である。傾斜面５１ｅは低位面５１ｃと高位面５１ｄとの間に位置する。
【００２４】
フード係合部５２はほぼＬ字形であり、インシュレータ本体５１の後側部分の上下面にそれぞれ形成されている。フード係合部５２の自由端には係合突起５２ａが形成されている。フード係合部５２はばね性を有しており、係合突起５２ａは上下方向へ移動可能である。
【００２５】
鍔部５３はインシュレータ本体５１の後端部分に結合されている。
【００２６】
電線受部５４は鍔部５３の後端部分に結合されている。電線受部５４の断面形状はほぼＵ字形である。電線受部５４はケーブル１５（図１参照）を支持する。
【００２７】
図５、６に示すように、フード７はほぼ円筒状であり、フード本体７１とロック解除ボタン（解除部）７２とを有する。フード７はインシュレータ５の前側部分を除いてインシュレータ５を覆う。
【００２８】
フード本体７１はインシュレータ収容孔７１１を有する。インシュレータ収容孔７１１は前側収容部分７１１ａと後側収容部分７１１ｂとを有する。
【００２９】
前側収容部分７１１ａと後側収容部分７１１ｂとの間には段差面７１１ｃが形成されている。前側収容部分７１１ａはインシュレータ本体５１の後側部分を収容する。前側収容部分７１１ａは一対の凹部７１１ｄと一対の凹部７１１ｅとを有する（図５中７１１ｅは一方だけが見えている）。一対の凹部７１１ｄは前側収容部分７１１ａの上部及び下部に位置する。凹部７１１ｄはそれぞれフード係合部５２を収容する。一対の凹部７１１ｅは前側収容部分７１１ａの両側部に位置する。凹部７１１ｅはそれぞれ後述するシェル９の係合ばね片９２の通り道になる。また、前側収容部分７１１ａは一対の係合孔７１１ｆと一対の窓孔７１１ｇとを有する。係合孔７１１ｆはそれぞれインシュレータ５のフード係合部５２の係合突起５２ａと係合する。すなわち、係合孔７１１ｆを有するフード本体７１が係合突起５２ａに引っ掛かり、両者が機械的に係り合う。窓孔７１１ｇはそれぞれロック解除ボタン７２の先端部の凹部７１１ｅに対する出入りを可能にする。
【００３０】
一対の凹部７１１ｅの内面にはそれぞれ第１の係合突起（第１のフード側係合部）７１２が形成されている。第１の係合突起７１２は前側収容部分７１１ａの前端部に位置する。また、一対の凹部７１１ｅの内面にはそれぞれ第２の係合突起（第２のフード側係合部）７１３が形成されている。第２の係合突起７１３は第１の係合突起７１２の後方に位置する。
【００３１】
図２〜４に示すように、シェル９はフード７とインシュレータ５との間に配置され、フード７及びインシュレータ５に対して相対的に前後方向Ｄへ移動可能である。シェル９は第１の位置と第２の位置との間で移動可能である。第１の位置はレセプタクルコネクタ２１との嵌合が開始する位置である。第２の位置はレセプタクルコネクタ２１との嵌合が完了する位置である。
【００３２】
シェル９はシェル本体９１と一対の係合ばね片（シェル側係合部）９２とロックばね片（係合ロック部）９３とを有する。シェル９は金属板を打抜き加工及び曲加工することによって形成されている。
【００３３】
シェル本体９１はほぼ角筒状であり、インシュレータ本体５１の一部を覆う。一対の係合ばね片９２はシェル本体９１の両側面に形成されている。係合ばね片９２の後側（鍔部５３側）部分はシェル本体９１に結合されている。係合ばね片９２の前側部分はインシュレータ本体５１の側面から離れている。ロックばね片９３はシェル本体９１の前側部分の上部及び下部に形成され、舌片状である。ロックばね片９３にはほぼ半円形のロック孔（孔）９３ａが形成されている。ロックばね片９３はインシュレータ本体５１の方へ折り曲げられ、ロックばね片９３の先端は常にインシュレータ本体５１の摺動面５１ｂに接触する。
【００３４】
ばね１１はほぼＳ字形であり、インシュレータ５の鍔部５３の前端面とシェル本体９１の後端面との間に配置され、シェル９を第１の位置の方へ移動させるように常時シェル９を押圧する。
【００３５】
このプラグコネクタ１を組み立てるには、まず、シェル９の後側からインシュレータ５を挿入してインシュレータ５にシェル９を装着する。
【００３６】
次に、インシュレータ５の鍔部５３の前端面とシェル本体９１の後端面との間にばね１１を配置する。
【００３７】
その後、インシュレータ５をフード７の後側から挿入する。このとき、インシュレータ５のフード係合部５２の係合突起５２ａがフード７の凹部７１１ｄの内面に接触し、フード係合部５２がインシュレータ本体５１の方へ傾いた状態で挿入され、係合突起５２がフード７の係合孔７１１ｆに達すると、フード係合部５２のばね力により係合突起５２ａが係合孔７１１ｆに係合してフード７がインシュレータ５に連結される。以上の工程を経てプラグコネクタ１の組立が完了する。
【００３８】
図７に示すように、レセプタクルコネクタ２１はコンタクト２３とインシュレータ２５とシェル２９とを有する。レセプタクルコネクタ２１はプリント基板（図示せず）上に実装される。
【００３９】
コンタクト２３はＬ字形である。
【００４０】
インシュレータ２５はコンタクト２３を保持している。
【００４１】
シェル２９はほぼ角筒状のシェル本体２９ａを有する。シェル本体２９ａはプラグコネクタ１のシェル９を受け容れる。シェル本体２９ａの上下内壁面にはロック用ダボ（相手側係合ロック部）２９ｂが形成されている。また、シェル本体２９ａの左右内壁面には突当て用ダボ（突当て突起）２９ｃが形成されている。シェル２９は金属板を打抜き加工及び曲加工することによって形成されている。
【００４２】
図８Ａは図１に示すプラグコネクタを図７に示すレセプタクルコネクタに挿入する前の状態を示す断面図、図８Ｂは図１に示すプラグコネクタを図７に示すレセプタクルコネクタに挿入している途中の状態を示す断面図、図８Ｃは図１に示すプラグコネクタを図７に示すレセプタクルコネクタに挿入した後の状態を示す断面図、図９Ａは図８Ａに示す状態に対応するプラグコネクタの断面図、図９Ｂは図８Ｂに示す状態に対応するプラグコネクタの断面図、図９Ｃは図８Ｃに示す状態に対応するプラグコネクタの断面図である。
【００４３】
プラグコネクタ１をレセプタクルコネクタ２１に嵌合するには、まず、図８Ａに示すように、プラグコネクタ１をレセプタクルコネクタ２１に対向させる。このとき、図９Ａに示すように、シェル９は第１の位置にあり、シェル９の係合ばね片９２はばね１１のばね力によって第１の係合突起７１２に突き当たっている。
【００４４】
次に、図８Ｂに示すように、プラグコネクタ１のシェル９をレセプタクルコネクタ２１のシェル２９に所定量挿入すると、シェル９はシェル２９の突当て用ダボ２９ｃ（図８Ａ参照）に突き当たり、インシュレータ５に対して相対的に後方へ移動し始める。このとき、ロックばね片９３の先端は摺動面５１ｂの低位面５１ｃ上を摺動する。
【００４５】
更に、プラグコネクタ１のシェル９をレセプタクルコネクタ２１のシェル２９の奥の方へ挿入すると、図９Ｂに示すように、シェル９の係合ばね片９２がフード７の第２の係合突起７１３に乗り上げ、一対の係合ばね片９２がすぼまった状態（係合ばね片９２がインシュレータ５の側面とほぼ平行になった状態）になる。このように、シェル９がインシュレータ５に対して相対的に後方へ移動するとき、係合ばね片９２は第２の係合突起７１３に引っ掛からない。
【００４６】
その後、プラグコネクタ１のシェル９をレセプタクルコネクタ２１のシェル２９の奥の方へ更に挿入すると、図８Ｃに示すように、シェル９のロックばね片９３は摺動面５１ｂの傾斜面５１ｅ上を滑り、高位面５１ｄに乗り上げる。その結果、ロックばね片９３のロック孔９３ａにシェル２９のロック用ダボ２９ｂが係合し、プラグコネクタ１とレセプタクルコネクタ２１との嵌合状態が保持される。また、このとき、図９Ｃに示すように、シェル９の係合ばね片９２がフード７の第２の係合突起７１３を乗り越え、一対の係合ばね片９２がもとの状態（係合ばね片９２がインシュレータ５の側面に対して傾斜した状態）になり、係合ばね片９２の先端が第２の係合突起７１３に突き当たり、その結果、シェル９は第１の位置の方へ移動できなくなる。
【００４７】
ロックばね片９３のロック孔９３ａにシェル２９のロック用ダボ２９ｂが係合しているとき、ロックばね片９３の先端は摺動面５１ｂの高位面５１ｄに接触しているので、何らかの原因によりプラグコネクタ１を引き抜こうとする力が生じてもロックばね片９３はロック用ダボ２９ｂから離れることができず、係合状態（ロック状態）が維持される。
【００４８】
係合状態を解除するには、フード７のロック解除ボタン７２を指でシェル９の方に押し込み、ロック解除ボタン７２の先端でシェル９の係合ばね片９２をすぼめる。その結果、係合ばね片９２と第２の係合突起７１３との係合が解かれ、ばね１１のばね力によってシェル９が第１の位置の方へ移動する。
【００４９】
係合ばね片９２が図９Ｂに示すように第２の係合突起７１３上に乗り上げたら、その後はロック解除ボタン７２から指を離しても、シェル９はばね１１のばね力によって自動的に第１の位置の方へ移動する。
【００５０】
シェル９の係合ばね片９２が図９Ａに示すようにフード７の第１の係合突起７１２に突き当たると、シェル９は止まり、プラグコネクタ１がレセプタクルコネクタ２１から離脱する。
【００５１】
この実施形態によれば、プラグコネクタ１とレセプタクルコネクタ２１との嵌合状態を確実にロックすることができる。
【００５２】
また、プラグコネクタ１とレセプタクルコネクタ２１との離脱時に、ロック解除ボタン７２を１度押して係合ばね片９２と第２の係合突起７１３との係合を解けば、ばね１１のばね力によって自動的にプラグコネクタ１をレセプタクルコネクタ２１から離脱させることができる。
【００５３】
更に、フード７にロック解除ボタン７２を設けたので、レセプタクルコネクタ２１にロックされたプラグコネクタ１の離脱作業を簡単に行うことができる。
【００５４】
また、シェル９，２９が金属製であるので、ノイズを遮断することができる。
【００５５】
更に、ロック機構をロック孔９３ａを有する舌片状のロックばね片９３とロック用ダボ２９ｂとで構成したので、ロック機構の構成が簡単であり、機械的強度に優れる。
【００５６】
なお、この発明をレセプタクルコネクタに適用することもできる。
【００５７】
また、上記実施形態ではシェル９，２９は金属製でシールド性を有するものであるが、シェル９，２９はシールド性を有していなくても構わない。
【図面の簡単な説明】
【００５８】
【図１】図１はこの発明の一実施形態に係るプラグコネクタの斜視図である。
【図２】図２は図１に示すプラグコネクタのフードを外した状態を示す斜視図である。
【図３】図３は図１に示すコネクタのシェルが第１の位置にあるときの状態を示す斜視図である。
【図４】図４は図１に示すコネクタのシェルが第２の位置にあるときの状態を示す斜視図である。
【図５】図５は図１に示すフードの前部の断面図である。
【図６】図６は図１に示すフードの断面図である。
【図７】図７は図１の示すプラグコネクタに接続されるレセプタクルコネクタの斜視図である。
【図８Ａ】図８Ａは図１に示すプラグコネクタを図７に示すレセプタクルコネクタに挿入する前の状態を示す断面図である。
【図８Ｂ】図８Ｂは図１に示すプラグコネクタを図７に示すレセプタクルコネクタに挿入している途中の状態を示す断面図である。
【図８Ｃ】図８Ｃは図１に示すプラグコネクタを図７に示すレセプタクルコネクタに挿入した後の状態を示す断面図である。
【図９Ａ】図９Ａは図８Ａに示す状態に対応するプラグコネクタの断面図である。
【図９Ｂ】図９Ｂは図８Ｂに示す状態に対応するプラグコネクタの断面図である。
【図９Ｃ】図９Ｃは図８Ｃに示す状態に対応するプラグコネクタの断面図である。
【符号の説明】
【００５９】
１  プラグコネクタ（コネクタ）
３  コンタクト
５  インシュレータ
７  フード
７１２  第１の係合突起（第１のフード側係合部）
７１３  第２の係合突起（第２のフード側係合部）
７２  ロック解除ボタン（解除部）
９  シェル
９１  シェル本体
９２  係合ばね片（シェル側係合部）
９３  ロックばね片（係合ロック部）
９３ａ  ロック孔（孔）
２１  レセプタクルコネクタ（相手側コネクタ）
２３  コンタクト
２５  インシュレータ
２９  シェル
２９ａ  シェル本体
２９ｃ  突当て用ダボ（突当て突起）
【図１】
2009004228.tif 000003
【図２】
2009004228.tif 000004
【図３】
2009004228.tif 000005
【図４】
2009004228.tif 000006
【図５】
2009004228.tif 000007
【図６】
2009004228.tif 000008
【図７】
2009004228.tif 000009
【図８Ａ】
2009004228.tif 000010
【図８Ｂ】
2009004228.tif 000011
【図８Ｃ】
2009004228.tif 000012
【図９Ａ】
2009004228.tif 000013
【図９Ｂ】
2009004228.tif 000014
【図９Ｃ】
2009004228.tif 000015